(57)【要約】      （修正有）【課題】設置が容易であり、階段の昇降時に光源を直視することがない階段の照明ユニット及びこれを用いた照明システムを提供する。【解決手段】蹴込板３を有する階段の踏み面２を照明する照明ユニット１００であって、光源１０と、前記光源１０を覆い、光透過性を有する光透過部材１２と、光源１０及び前記光透過部材１２を保持し、光透過部材１２から透過した光を前記踏み面２に対して出射する出射面１１３と、前記階段の踏板４の先端部に取付けられる取付面を有する保持部材１１０とを備えた照明ユニット１００。【選択図】図１
2012167440.tif 000002
【特許請求の範囲】
【請求項１】
階段の踏み面を照明する照明ユニットであって、
光源と、
前記光源を覆い、光透過性を有する光透過部材と、
前記光源及び前記光透過部材を保持し、該光透過部材から透過した光を前記踏み面に対して出射する出射面と、前記階段の踏板の先端部に取付けられる取付面を有する保持部材と、
を備えた照明ユニット。
【請求項２】
前記保持部材と前記踏板それぞれの長手寸法が略等しい請求項１に記載の照明ユニット。
【請求項３】
前記出射面の中心が保持部材の中心よりも前記階段の蹴込板側に位置する請求項１又は請求項２に記載の照明ユニット。
【請求項４】
前記光源が、蹴込板方向に向けて取付けられた請求項１〜請求項３のいずれかに記載の照明ユニット。
【請求項５】
前記踏板の短手方向に沿った断面視において、前記光源が、前記蹴込板から見た前記出射面の最遠端と前記照明ユニットが照明する踏み面の前端とを通過する直線よりも前記踏板の先端側に位置することを特徴とする請求項１〜請求項４のいずれかに記載の照明ユニット。
【請求項６】
前記光源に電力を供給する配線を備え、
前記配線が、前記保持部材の前記蹴込板側に形成され、前記保持部材の長手方向に沿って伸長する溝に這わせられた請求項１〜請求項５のいずれかに記載の照明ユニット。
【請求項７】
前記保持部材が、
踏板の鼻の出部の下面に取り付けるベース部材と、
出射面を有し、前記ベース部材に被せて取り付けられるカバー部材と、
から構成された請求項１〜請求項５のいずれかに記載の照明ユニット。
【請求項８】
請求項１〜請求項７のいずれかに記載の照明ユニットを有する階段照明システムであって、
前記階段を昇降する人の存在を検知する人検知手段と、
前記人検知手段からの検知情報に基づいて、前記光源を点灯及び消灯させる光源制御手段と、
を備え、
前記人検知手段と前記光源制御手段が、無線通信手段によって前記検知情報を送受信することを特徴とする階段照明システム。
【請求項９】
蹴込板を有する階段の踏み面を照明する階段の照明システムであって、
光源と前記光源からの光を出射する出射面を有し、前記階段の踏板の先端部に設けられた照明ユニットと、
前記階段を昇降する人の存在を検知する人検知手段と、
前記人検知手段からの検知情報に基づいて、前記光源を点灯及び消灯させる光源制御手段と、
を備え、
前記照明ユニットが前記出射面を前記蹴込板に向けて取り付けられたことを特徴とする階段照明システム。
【請求項１０】
前記人検知手段と前記光源制御手段が、無線通信手段によって前記検知情報を送受信することを特徴とする請求項９に記載の階段の照明システム。
【発明の詳細な説明】
【技術分野】
【０００１】
本発明は、階段の踏み面を照明する照明ユニット及び照明システムに関するものである。
【背景技術】
【０００２】
階段照明は、つまずきや踏み外し事故を未然に防ぐために重要な役割を担っている。しかし、天井や壁面に取り付ける照明器具の位置によっては、進行方向に自己の影が生じてしまい、踏み面を認識しにくい場合がある。そこで、階段の踏み面のみを照明する照明システムが用いられている。
【０００３】
従来の照明システムは、例えば特許文献１に示されている。図１３に示すように、この照明システムは、階段の各踏板４に光源１０が設置される。光源１０は、踏板４の先端部の下面に取り付けられており、踏み面２を照明する。蹴込板３の裏側には各光源１０に電源を供給する電源コントローラ６２０が設置され、各光源１０と配線１８で電気的に接続されている。
【０００４】
しかしながら、光源の設置に際して踏板や蹴込板等の階段の一部に複雑な加工を要するため、既設の階段への設置は困難であり、リフォーム業者等に取り付けを依頼する必要があった。また、階段を上る際、光源を直視してしまい、夜間に用いると目が覚めてしまうことがあった。
【先行技術文献】
【特許文献】
【０００５】
【特許文献１】特許３０９５３８７号公報
【発明の概要】
【発明が解決しようとする課題】
【０００６】
本発明は、上記課題に着目して為された発明であり、設置が容易であり、階段の昇降時に光源を直視することがない階段の照明ユニット及びこれを用いた照明システムを提供することを課題としている。
【課題を解決するための手段】
【０００７】
上記課題を解決するための手段として、本発明は、階段の踏み面を照明する照明ユニットであって、光源と、前記光源を覆い、光透過性を有する光透過部材と、前記光源及び前記光透過部材を保持し、該光透過部材から透過した光を前記踏み面に対して出射する出射面と、前記階段の踏板の先端部に取付けられる取付面を有する保持部材とを備えたことを特徴とする。
【０００８】
前記保持部材と前記踏板それぞれの長手寸法が略等しいことを特徴とする。
【０００９】
前記出射面の中心が保持部材の中心よりも前記階段の蹴込板側に位置することを特徴とする。
【００１０】
前記光源が、蹴込板方向に向けて取付けられたことを特徴とする。
【００１１】
前記踏板の短手方向に沿った断面視において、前記光源が、前記蹴込板から見た前記出射面の最遠端と前記照明ユニットが照明する踏み面の前端とを通過する直線よりも前記踏板の先端側に位置することを特徴とする。
【００１２】
前記光源に電力を供給する配線を備え、前記配線が、前記保持部材の前記蹴込板側に形成され、前記保持部材の長手方向に沿って伸長する溝に這わせられたことを特徴とする。
【００１３】
前記保持部材が、踏板の鼻の出部の下面に取り付けるベース部材と、出射面を有し、前記ベース部材に被せて取り付けられるカバー部材と、から構成されたことを特徴とする。なお、鼻の出部とは踏板の先端部が蹴込板から前方に突出した階段の部位である。
【００１４】
上記のいずれかの照明ユニットを有する照明システムであって、前記階段を昇降する人の存在を検知する人検知手段と、前記人検知手段からの検知情報に基づいて、前記光源を点灯及び消灯させる光源制御手段と、を備え、前記人検知手段と前記光源制御手段が、無線通信手段によって前記検知情報を送受信することを特徴とする。
【００１５】
蹴込板を有する階段の踏み面を照明する階段の照明システムであって、光源と前記光源からの光を出射する出射面を有し、前記階段の踏板の先端部に設けられた照明ユニットと、前記階段を昇降する人の存在を検知する人検知手段と、前記人検知手段からの検知情報に基づいて、前記光源を点灯及び消灯させる光源制御手段と、を備え、前記照明ユニットが前記出射面を前記蹴込板に向けて取り付けられたことを特徴とする。
【００１６】
前記人検知手段と前記光源制御手段が、無線通信手段によって前記検知情報を送受信することを特徴とする。
【発明の効果】
【００１７】
本発明の照明ユニットは、光源及び光透過部材を保持する保持部材が踏板に取り付けられる取付面を有するので、既設の階段に容易に設置できる。よって、リフォーム業者等に施工を依頼する必要がない。
【００１８】
また、照明ユニットと踏板それぞれの長手寸法が略等しいので、違和感無く照明ユニットを設置できる。
【００１９】
また、出射面の中心が保持部材の中心よりも蹴込板側に位置することで、階段を上がる際、階段の正面側（蹴込板の反対側）から光源を直視しにくくなり、光源の眩しさを低減できる。
【００２０】
また、光源が蹴込板に向けて取付けられるので、さらに光源を直視しにくくなり、光源の眩しさを低減できる。
【００２１】
また、階段の踏み面の先端と出射面の最遠端とを通過する直接に対して、光源が踏板の先端側に配置されることで、光源は人の目線に対して常に照明ユニット内に隠れることとなる。よって階段を上る際、光源を直視することがない。したがって、光源の眩しさを防止できる。
【００２２】
また、配線を保持部材の溝に這わせることができるので、配線が階段の外観に影響を及ぼすことを防止できる。また、蹴込板等に配線用の孔を開設する等の作業が不要となる。
【００２３】
また、ベース部材とカバー部材とからなる保持部材内に配線を収納できるので施工作業の単純化を図ることができる。また配線が外観に影響を及ぼすことを防止できる。
【００２４】
また、鼻の出部の下面に取り付けた照明ユニットは、階段の昇降時における荷重を受けない。さらに、外部からの衝撃を受けにくいので、照明ユニットの破損を防ぐことができる。
【００２５】
無線通信手段を備えた照明システムは、人検知手段と光源制御手段が無線通信手段により検知情報を通信するため、人検知手段と光源制御手段間の配線を省略し得る。したがって、照明システムの施工の簡略化、施工期間の短縮化を図ることができる。
【００２６】
また、出射面からの光（以下、出射光）が蹴込板の板面で乱反射し、乱反射した光が踏み面全体を間接的に照明し得る。したがって、踏み面の中心から先端にかけて明暗のコントラストを付け得るので、踏板の境界の視認性を高めつつ、出射光が踏み面で眩しく反射することを防止することができる。
【図面の簡単な説明】
【００２７】
【図１】実施例１の照明システムを設置した階段の概略図である。
【図２】段鼻側から見た実施例１の照明ユニットの構成を示した斜視図である。
【図３】実施例１の照明ユニットの取付態様を示す踏板の短手方向に沿った断面図である。
【図４】実施例１の照明システムのブロック図である。
【図５】実施例１の制御ユニット及びセンサユニットの斜視図である。
【図６】実施例１の照明ユニットを設置した階段の斜視図である。
【図７】踏み面及び蹴込板側から見た実施例２の照明ユニットの斜視図である。
【図８】実施例２の照明ユニットの取付態様を示す踏板の短手方向に沿った断面図である。
【図９】実施例３の照明システムを設置した階段の概略図である。
【図１０】実施例３の照明システムのブロック図である。
【図１１】実施例４の照明ユニットを示す斜視図である。
【図１２】実施例５の照明システムの取付態様を示す踏板の短手方向に沿った断面図である。
【図１３】従来の照明システムを示す図である。
【図１４】保護部材を取り付けた照明ユニットの側面図である。
【発明を実施するための形態】
【００２８】
以下、図面に基づいて、本発明の階段の照明ユニット及び照明システムを説明する。
【実施例１】
【００２９】
図１〜図６に示すように、本実施例の照明システムは、照明ユニット１００と、人検知手段１３と、光源制御手段１４を備えるものである。
【００３０】
図１及び図２に示すように、照明ユニット１００は踏み面２を照明するものであり、階段の段鼻部１に取り付けられる。照明ユニット１００は、光源１０と、光源１０が実装された基板１１と、光透過部材１２と、保持部材１１０、及び配線１８から構成される。
【００３１】
光源１０は、表面実装型の発光ダイオード（以下、ＬＥＤ）が好ましく、本実施例では４個の光源１０が各照明ユニット１００に組み込まれる。光源１０は、砲弾型であっても良く、必要に応じてその使用数を増減できる。また、各照明ユニット１００の光源１０は、電気的に、並列に接続されている。
【００３２】
光透過部材１２は、光透過性を有し、その表面から光源１０の光を出射するものである。光透過部材１２の材質は透明又は半透明のＡＢＳ等の合成樹脂が好ましい。その表面にはシボを形成してもよい。また、白色が好ましい。本実施例の光透過部材１２の形状は底面の両端が半円形状の直方体形状である。しかしこれに限定されず、円柱形状等であってもよい。光透過部材１２は、光源１０を覆って基板１１に取り付けられる。
【００３３】
保持部材１１０は、光源１０、基板１１、光透過部材１２、及び配線１８を保持するものである。保持部材１１０は、平に形成された取付面を階段の段鼻部１に接して螺子等の固定手段により取り付けられる。保持部材１１０の形状は角棒形状が好ましく、その長手寸法は踏板４の長手寸法と略等しい。材質は木、金属又はプラスチック等から階段の質感に合わせて適宜選択できる。保持部材１１０の段鼻部１側中央部には凹部１１１が形成され、光源１０、基板１１、及び光透過部材１２が凹部１１１に取り付けられる。段鼻部１と対面する保持部材１１０の面には溝１１２が長手方向に伸びており、光源１０に電力を供給する配線１８が溝１１２に這わされる。本実施例の溝１１２は、凹部１１１から片側方向へ伸長しているが、これに限られず、両側に伸長する溝であってもよい。
【００３４】
図３に示すように、本実施例の照明ユニット１００が段鼻部１に取り付けられると、保持部材１１０の下面が、凹部１１１により、踏み面２に対して開口する。凹部１１１には光源１０、基板１１、及び光透過部材１２が踏み面２に対向して保持され、踏み面２に対する開口を出射面１１３として光が出射される。光源１０は、蹴込板３から見た出射面１１３の最遠端１０１と照明ユニット１００が照明する踏み面２の先端とを通過する直線Ｌよりも、当該照明ユニット１００が取り付けられた段鼻部１の先端側に位置する。
【００３５】
配線１８は、図６ａの破線に示すように、溝１１２内に這わせられる。照明ユニット１００は側桁５と当接し、側桁５は溝１１２との接触部に孔が開設されている。配線１８はその孔から側桁５内へ導かれて各照明ユニット１００の配線１８と接続される。また図６ｂに示すように、配線モール１４０を側桁５に沿って取り付けてもよい。配線モール１４０は、溝１１２との近接部分に切欠きが形成されており、配線１８は当該切欠きから配線モール１４０内へ導かれ各照明ユニット１００と接続される。また、蹴込板３に貫通孔を開設し、配線１８を階段裏へと導いて各照明ユニット１００と接続してもよい。
【００３６】
図４に示すように、光源制御手段１４は、人検知手段１３、照度調節手段１５、点灯時間調節手段１６、及び照度測定手段１７と電気的に接続されており、人検知手段１３の検知情報、及び照度調節手段１５、点灯時間調節手段１６、並びに照度測定手段１７の値に基づいて、光源１０を点灯、消灯、及び調光するものである。光源制御手段１４はマイクロコンピュータであり、制御ユニット１２０内に組み込まれている。光源制御手段１４の出力端子は抵抗器の一端に接続されており、該抵抗器の他端は、エミッタをグランドに接地したＮＰＮ型トランジスタのベースに接続されており、このトランジスタのコレクタは光源１０と抵抗器を介して電源へと接続される。
【００３７】
人検知手段１３は、人体が発する赤外線を検知して、その検知情報を出力する人感センサが好ましい。しかし、これに限られず超音波式の人感センサを用いてもよい。人検知手段１３は、階段の上り口に設置された制御ユニット１２０及び階段の下り口に設置されたセンサユニット１３０に、受光部を露出させて組み込まれる。
【００３８】
照度調節手段１５は、光源１０の調光の操作に用いられるものであり、制御ユニット１２０内に組み込まれる。照度調節手段１５は可変抵抗器が好ましい。照度調節手段１５の一の固定端子は電源に接続され、他の固定端子はグランドに接地される。可変端子は、アナログ‐デジタル変換回路を介して光源制御手段１４の入力端子に接続される。
【００３９】
点灯時間調節手段１６は、点灯時間調節の操作に用いられるものであり、制御ユニット１２０内に組み込まれる。点灯時間調節手段１６としては、上記照度調節手段１５と同様に、可変抵抗器が好ましい。しかし、照度調節手段１５、及び点灯時間調節手段１６は可変抵抗器に限られず、ロータリエンコーダであってもよい。
【００４０】
照度測定手段１７は、周囲の明るさを測定するものであり、制御ユニット１２０内に組み込まれる。照度測定手段１７は、フォトトランジスタが好ましい。照度測定手段１７のコレクタは電源に接続され、エミッタは抵抗器を介してグランドに接地される。エミッタは、アナログ‐デジタル変換回路を介して光源制御手段１４の入力端子と接続される。照度測定手段１７は、フォトトランジスタに限られず、フォトダイオードであってもよい。
【００４１】
本実施例の照明システムの動作について説明する。光源制御手段１４に電力が投入されると、光源制御手段１４及び人検知手段１３は初期設定を行う。その後、光源制御手段１４は、人検知手段１３の検知情報、並びに照度測定手段１７、点灯時間調節手段１６、及び照度調節手段１５の値を一定周期毎に取得する。光源制御手段１４は、照度測定手段１７の値が所定の値を超えると、周り（階段室）が暗いものと判断して、人検知手段１３の検知情報の有無を確認する。光源制御手段１４は、検知情報をトリガーとして、光源１０を制御する出力端子の設定と、光源１０の発光時間の設定と、光源１０のＰＷＭ制御における出力パルスのデューティー比を制御するタイマ割り込みの設定及び許可を行う。光源制御手段１４は、タイマ割り込みが発生するたびに、出力端子の出力レベルの切り替えを行う。光源１０の調光は、照度調節手段１５の値に応じてタイマ割り込みの発生間隔を変更して出力パルスのデューティー比を変えることによって行う。また光源１０の発光時間は、点灯時間調節手段１６の値に応じて、出力パルス数を変更することによって行う。所定数のパルスをカウントすると、タイマ割り込みを禁止して、光源１０を消灯させる。
【００４２】
本実施例の照明ユニット１００は、光源１０及び光透過部材１２を保持する保持部材１１０が踏板に取り付けられる取付面を有するので、既設の階段に容易に設置できる。よって、リフォーム業者等に施工を依頼する必要がない。
【００４３】
また、照明ユニット１００と踏板４それぞれの長手寸法が略等しいので、照明ユニット１００が階段の外観に与える違和感を低減できる。
【００４４】
また、照明ユニット１００は、配線１８を溝１１２内に這わせて側桁５へと導いて、側桁５内又は側桁５に設けた配線モール１３０内に収納し得るので、配線１８が階段の外観に影響を及ぼすことを防止できる。
【００４５】
また、階段の踏み面２の先端と出射面１１３の最遠端１０１とを通過する直接に対して光源が踏板４の先端側に配置されるので、光源１０は、人の目線に対して常に照明ユニット１００内に隠れるので、階段を上る際、光源１０を直視することを防止できる。
【００４６】
本実施例に於いて、各光源１０は、光源制御手段１４の一の出力端子に対して並列に接続されているが、これに限定されず、照明ユニット１００毎に別の出力端子を割り当ててもよい。これにより光源制御手段１４は、照明ユニット１００毎に点滅を制御して、階段を電飾することができる。
【００４７】
また、保持部材１１０の長手寸法は、予め踏板４の長手寸法よりも長く形成されたものであってよい。これにより、各踏板４の寸法誤差が生じても、各踏板の寸法に応じて照明ユニット１００の寸法を調節できる。
【００４８】
また、照明ユニット１００の出射面１１３にフレネルレンズ等のレンズを取り付けてもよい。これにより、光源１０からの光を拡散させて出射し得るので、踏み面２を広い範囲で照明することができる。
【００４９】
また、保持部材１１０の上面に、その長手方向に沿って、複数の溝を形成したものであってもよい。溝が、滑り止めとして作用して、階段の昇降時の安全性を向上させることができる。
【００５０】
さらに、図１４に示すように、照明ユニット１００と踏板４の先端部を保護する保護部材１５０を設けてもよい。保護部材１５０は金属板が好ましい。保護部材１５０は、照明ユニット１００の上部を覆い、踏板４上面にかけて取り付けられる。これにより、階段昇降時の荷重、及び外部の衝撃から照明ユニット１００を保護することができる。また照明ユニット１００と踏板４との境界線を隠すことできるので外観に優れる。また、保護部材１５０の表面に凹凸条を形成すれば、滑り止め機能を付加することができる。
【実施例２】
【００５１】
図７及び図８に示すように、本実施例の保持部材は、ベース部材２１１と、カバー部材２１２とから構成され、鼻の出部６の下面に取り付けられる。
【００５２】
ベース部材２１１は、カバー部材２１２を支持するものである。ベース部材２１１は背面２１１ａの長手の端に沿って、壁部２１１ｂが背面２１１ａに対して垂直に延出することにより、短手方向の断面がコの字を形成している。また、壁部２１１ｂの先端に係止爪２１１ｃを有している。ベース部材２１１は、その背面を取付面として鼻の出部６の下面に接して固定される。
【００５３】
カバー部材２１２は、ベース部材２１１に着脱可能に被せられる。カバー部材２１２は、背面２１２ａの長手の端に沿って、ベース部材２１１に向かって、壁部２１２ｂが背面２１２ａから垂直に延出しており、その短手方向の断面がコの字を形成している。壁部２１２ｂの先端にベース部材２１１の係止爪２１１ｃと係止する係止爪２１２ｃを有している。また、背面２１２ａは踏み面と対向しており、その一部が開口している。
【００５４】
ベース部材２１１及びカバー部材２１２の材質はＡＢＳ等の合成樹脂が好ましい。
【００５５】
本実施例の照明ユニット２００は、ベース部材２１１とカバー部材２１２を係止させ、その内部に、蹴込板方向に向けた光源１０、及びカバー部材２１２の開口を塞いで光透過部材１２が保持される。光源１０の光は開口を出射面２１４として踏み面２に対して出射される。図８に示すように、出射面２１４は、その中心がカバー部材２１２の中心よりも蹴込板側に位置するように形成される。また、光源１０は、蹴込板３から見た出射面２１４の最遠端２０１と照明ユニット２００が照明する踏み面２の先端とを通過する直線Ｌよりも、踏板４の先端側に位置している。
【００５６】
本実施例の照明ユニット２００は、出射面２１４の中心がカバー部材２１２の中心よりも蹴込板３側に位置しているので、階段を上がる際、階段の正面側（蹴込板の反対側）から光源を直視しにくくなり、光源の眩しさを低減できる。
【００５７】
また、光源１０が蹴込板３に向けて取付けられるので、さらに光源１０を直視しにくくなり、より光源１０の眩しさを低減できる。
【００５８】
また、ベース部材２１１とカバー部材２１２から構成される保持部材内に、配線１８を収納できるので施工作業の単純化を図ることができる。また配線１８が外観に影響を及ぼすことを防止できる。
【００５９】
また、鼻の出部の下面に取り付けた照明ユニット２００は、階段の昇降時における荷重を受けない。さらに、外部からの衝撃を受けにくいので、照明ユニット２００の破損を防ぐことができる。
【実施例３】
【００６０】
図９及び図１０に示すように、本実施例の階段の照明システムは、センサユニット４４０内、及び制御ユニット４２０内に無線通信手段を備えるものである。
【００６１】
無線通信手段は、センサユニット４４０内に組み込まれた人検知手段１３の検知情報、並びに照度調節手段１５、点灯時間調節手段１６、及び照度測定手段１７から取得した測定値を送受信するものである。無線通信手段は、電波を放射・吸収するアンテナ４２２、及び検知情報を変調・復調する無線通信モジュール４２３から構成されており、階段の上り口及び下り口の壁面に設置されたセンサユニット４４０内、並びに踏板４の裏側に設置された制御ユニット４２０内に組み込まれる。
【００６２】
センサユニット４４０は検知情報処理手段を備える。検知情報処理手段は人検知手段１３、照度調節手段１５、点灯時間調節手段１６、照度測定手段１７からの検知情報を受け取り、無線通信手段へと引き渡すマイクロコントローラである。
【００６３】
人検知手段１３は、階段の上り口又は下り口付近に人体の存在を検知すると、検知情報を検知情報処理手段へと送信する。検知情報処理手段は、当該検知情報を無線通信手段により制御ユニット４２０内の無線通信手段へと送信する。光源制御手段１４は無線通信手段が受信した検知情報に基づいて、照明ユニット１００を制御する。
【００６４】
本実施例の照明システムは、無線通信によりセンサユニット４４０及び制御ユニット４２０間で検知情報及び測定値の送受信ができるので、これらのユニット間の配線１８が不要となる。したがって、照明システムの施工を簡略化し、施工期間を短縮化することができる。
【実施例４】
【００６５】
図１１に示すように、照明ユニット５００は、被覆部材５０１を備えても良い。
【００６６】
被覆部材５０１は、出射面５１３を覆うものである。被覆部材５０１はＡＢＳ等の合成樹脂から成り、透明の板体であり、その表面に模様、及び／又は色彩が付されている。しかし、これに限られず、フィルム状であってもよい。保持部材５１０には出射面５１３を隔てて対向する挿入溝５０２が形成されている。図１１中の破線矢印で示すように、被覆部材５０１は、挿入溝５０２に挿入して取り付けられる。
【００６７】
本実施例の照明ユニット５００を用いれば、光は被覆部材５０１を介して出射され、被覆部材５０１に付加された模様や色彩が踏み面２に投影されて、階段を装飾することができる。
【実施例５】
【００６８】
本実施例の照明システムは、鼻の出部６を有する階段に用いられ、照明ユニット３００と、人検知手段１３と、光源制御手段１４を備えるものである。照明ユニット３００は、光源１０、基板１１、及び光透過部材１２により構成される。
【００６９】
図１２に示すように、本実施例の照明ユニット３００は、各踏板４の鼻の出部６の下面に、蹴込板３に向けて形成された嵌入孔３１１に取り付けられ、光源１０は蹴込板に向けて配置される。光透過部材１２からの出射光は、蹴込板３に向けた光透過部材１２の面を出射面３１３として出射される。照明ユニット３００は、その配線１８ａ、１８ｂを、嵌入孔３１１の内壁から蹴込板３の裏の踏板４の下面にかけて形成された溝３１２に這わせて、他の照明ユニット３００の配線１８ａ、１８ｂとコネクタにより着脱可能に接続される。
【００７０】
本実施例の照明システムを用いれば、出射光は蹴込板３を直接照らす。すると蹴込板３で乱反射した光は、踏み面２を、その中心から先端にかけてコントラストをつけて間接的に照明する。したがって、踏板４の境界の視認性を高めることができる。また、出射光が、踏み面２を直接的に照明しないので、出射光が踏み面２で眩しく反射することを防止することができる。
【００７１】
また、本実施例において、出射面３１３に被覆部材を貼り付けてもよい。被覆部材は、例えば模様や色彩が付され、光の透過性を有するシールが好ましい。これによって、蹴込板に、模様、色彩を投影し階段を装飾することができる。
【００７２】
以上、本願発明の階段の踏み面を照明する照明ユニット及び照明システムの実施例について説明したが、本願発明は実施例の形態のみに限られない。
【００７３】
例えば、１つ照明ユニット内に複数の光源１０及び光透過部材１２を用いてもよい。踏板４の両端に光源１０及び光透過部材１２を設けて踏み面２を照らせば、より均等に踏み面を照らすことができる。また、１つの踏板に対して複数の照明ユニットを連設してもよい。照明ユニットを連設することにより、長い踏板を有する階段の踏み面を照明することができる。
【００７４】
また、光源１０が、赤色、緑色、及び青色に発光するＬＥＤであってもよい。各色のピーク波長について、赤色は６００〜６６０ｎｍ、緑色は５１０〜５６０ｎｍ、青色は４５０〜４８０ｎｍが好ましい。また各色が独立したＬＥＤであっても良いし、３色の素子が一つにパッケージされたものであっても良い。この様な光源１０を用いると、階段をさらに電飾することができる。
【００７５】
また、本発明の階段の照明システムが、気温を計測する温度計測手段を備えるものでもよい。温度計測手段としては、サーミスタを用いることができる。温度計測手段は、制御ユニット１２０内、センサユニット１３０内、又は個々の照明ユニット１００内に組み込むことが可能である。例えば、各照明ユニット１００内において、前記光源１０とＮＰＮ型トランジスタの接続間に直列にサーミスタを接続すると、温度に伴って抵抗値が変化して光源１０の輝度を変化させることができ、階段を電飾することができる。他には、制御ユニット１２０内で、温度計測手段と他の抵抗器を直列に接続し電源を印加すれば、その分圧電位を温度情報として取得することができる。この温度情報に基づいて光源１０を調光すれば、照明ユニットを簡易な温度計として用いたり、さらに前記３色からなるＬＥＤを用いれば、温度が高い場合には光源１０を寒色に調光して涼しいイメージを、温度が低ければ光源１０を暖色に調光して暖かいイメージを与えることができる。
【００７６】
また、本発明の階段の照明システムは、交流電力から直流電力を生成するＡＣアダプター等の電源供給手段により、光源制御手段１４、人検知手段１３、照明ユニット１００を駆動しているが、これに加えて、制御ユニット１２０内に設けた電池と、電源供給手段と電池を切り替えて電力を供給する電力切替手段とを備えてもよい。電力切替手段としては、例えば電源供給手段の正極にアノードが接続された一のダイオードと、電池の正極にアノードが接続された他のダイオードを用いることができる。両ダイオードのカソードは互いに接続されており、通常時は電源供給手段から電力が供給され、停電時には、電池からの電力が供給される。したがって、停電時の階段の昇降の安全を確保することができる。
【００７７】
また、本発明の階段の照明システムが、建物の揺れを検知する揺れ検知手段を備えるものであってもよい。揺れ検知手段は例えば加速度センサである。揺れ検知手段は制御ユニット１２０内又はセンサユニット１３０内に組み込むことができる。揺れ検知手段が地震の発生を検知すると、その検知情報を光源制御手段１４へと送信し、光源制御手段１４はこの検知情報に基づいて、光源１０を点灯させる。したがって、地震発生時には誘導灯として機能し得る。
【００７８】
さらに、本発明の階段の照明システムが、火災を検知する火災検知手段を備えるものであってもよい。火災検知手段は煙センサが好ましい。しかしこれに限定されず、熱センサ、又は火災時の発生ガスを検出するガスセンサを用いることも可能である。火災検知手段は、制御ユニット１２０内又はセンサユニット１３０内に組み込まれる。火災検知手段が火災の発生を検知すると、その検知情報を光源制御手段１４へと送信し、光源制御手段１４はこの検知情報に基づいて、光源１０を点灯又は点滅させる。したがって、火災発生時の警報器として機能し得る。また、煙は階段を通過して上昇するので、設置場所として最適である。
【００７９】
以上、本発明の階段の照明ユニット及び照明システムの態様について説明したが、本発明はその趣旨を逸脱しない範囲で、当業者の知識に基づき種々の改良、修正、変形を加えた態様で実施し得るものであり、これらの態様はいずれも本発明の範囲に属するものである。
【符号の説明】
【００８０】
２...踏み面、３...蹴込板、４...踏板、６...鼻の出、１０...光源、１２...光透過部材、１３...人検知手段、１４...光源制御手段、１００・２００・３００・５００...照明ユニット、１１０，２１０，５１０...保持部材、１１３・２１３・５１３...出射面、１０１・２０１...最遠端、２１１...ベース部材、２１２...カバー部材、１４０...配線モール
【図１】
2012167440.tif 000003
【図２】
2012167440.tif 000004
【図３】
2012167440.tif 000005
【図４】
2012167440.tif 000006
【図５】
2012167440.tif 000007
【図６】
2012167440.tif 000008
【図７】
2012167440.tif 000009
【図８】
2012167440.tif 000010
【図９】
2012167440.tif 000011
【図１０】
2012167440.tif 000012
【図１１】
2012167440.tif 000013
【図１２】
2012167440.tif 000014
【図１３】
2012167440.tif 000015
【図１４】
2012167440.tif 000016